(57)【要約】【課題】集塵部に絡みついた繊維性の塵を容易に除去可能な電気掃除機を提供することである。【解決手段】本体ケースと、前記本体ケース内に収容した電動送風機と、前記電動送風機の駆動により吸い込まれた塵埃が含まれた空気から塵埃を遠心分離する分離部を内部に有する収容部と、前記分離部で分離された塵埃を通過させ濾過する分離フィルタと、開口が形成され、該開口に前記分離フィルタが配置された円筒状の内筒部本体と、前記内筒部本体の前記含塵空気の流れと交差する方向に形成し、前記分離フィルタに付着した塵埃を除去する塵埃除去部と、を備えた。【選択図】図３
2017213158.tif 000002
【特許請求の範囲】
【請求項１】
本体ケースと、
前記本体ケース内に収容した電動送風機と、
前記電動送風機の駆動により吸い込まれた塵埃が含まれた空気から塵埃を遠心分離する分離部を内部に有する収容部と、
前記分離部で分離された塵埃を通過させ濾過する分離フィルタと、
開口が形成され、該開口に前記分離フィルタが配置された円筒状の内筒部本体と、
前記内筒部本体の含塵空気の流れと交差する方向に形成し、前記分離フィルタに付着した塵埃を除去する塵埃除去部と、
を備えた、電気掃除機。
【請求項２】
前記塵埃除去部は、前記内筒部本体の外周面に形成した突起である、請求項１記載の電気掃除機。
【請求項３】
前記塵埃除去部は、前記内筒部本体に形成した溝である、請求項１記載の電気掃除機。
【請求項４】
前記塵埃除去部は、前記内筒部本体に平行に形成した第１および第２突起間により形成される溝である、請求項１記載の電気掃除機。
【請求項５】
前記塵埃除去部は、高さと位置の異なる前記内筒部本体に複数に分けて形成した、請求項２乃至４のいずれか一項記載の電気掃除機。
【請求項６】
前記突起は、塵埃を含む空気の流れる風上側から漸次高くなる傾斜部を形成した、請求項２記載の電気掃除機。
【請求項７】
塵埃を含む空気の流れる風上側に前記第１突起がある場合、風下側に位置する前記第２突起より低くした、請求項４記載の電気掃除機。
【発明の詳細な説明】
【技術分野】
【０００１】
この発明の実施形態は、吸い込んだ塵埃を遠心分離する遠心分離部を備えた電気掃除機に関する。
【背景技術】
【０００２】
従来、円筒のカップ内に内筒を設け遠心力にて塵埃を分離する集塵部の構成が開示されている。
【０００３】
しかし、遠心力による塵埃分離の集塵部は、塵埃を旋回させることから、髪の毛や糸屑、綿などの繊維状をなす塵埃が絡みつくため、それを取り除くためのスペースの確保が必要であり、電気掃除機の小型化の阻害要因の一つになっている、という問題があった。
【先行技術文献】
【特許文献】
【０００４】
【特許文献１】特開２０１３−５２０１２号公報
【発明の概要】
【発明が解決しようとする課題】
【０００５】
この発明が解決しようとする課題は、集塵部に絡みついた繊維性の塵を容易に除去可能な電気掃除機を提供することである。
【課題を解決するための手段】
【０００６】
実施形態の電気掃除機は、本体ケースと、前記本体ケース内に収容した電動送風機と、前記電動送風機の駆動により吸い込まれた塵埃が含まれた空気から塵埃を遠心分離する分離部を内部に有する収容部と、前記分離部で分離された塵埃を通過させ濾過する分離フィルタと、開口が形成され、該開口に前記分離フィルタが配置された円筒状の内筒部本体と、前記内筒部本体の前記含塵空気の流れと交差する方向に形成し、前記分離フィルタに付着した塵埃を除去する塵埃除去部と、を備えた。
【図面の簡単な説明】
【０００７】
【図１】実施形態１の電気掃除機全体の示す斜視図である。
【図２】実施形態１の電気掃除機の本体ケースを前方から示す斜視図である。
【図３】実施形態１の斜視断面図である。
【図４】実施形態１の電気掃除機の集塵装置を後方から示す斜視図である。
【図５】実施形態１の電気掃除機の集塵装置の分解斜視図である。
【図６】図５の要部を拡大した斜視図である。
【図７】実施形態１の塵埃除去について説明する要部拡大斜視図紙である。
【図８】図７の図中Ａ−Ｂ線断面図である。
【図９Ａ】実施形態１の電気掃除機の塵埃除去部の変形例１を示す断面図である。
【図９Ｂ】実施形態１の電気掃除機の塵埃除去部の変形例２を示す断面図である。
【図９Ｃ】実施形態１の電気掃除機の塵埃除去部の変形例３を示す断面図である。
【図１０】実施形態１の電気掃除機の集塵装置の収容部側の斜視図である。
【図１１】実施形態２の電気掃除機の集塵装置の分解斜視図である。
【発明を実施するための形態】
【０００８】
以下、この発明を実施するための形態について、図面を参照しながら説明する。なお、図中、同一または同等の部分には同一の符号を付す。
【０００９】
（実施形態１）
図１は、いわゆるキャニスタ型の電気掃除機全体の斜視図を示す。キャニスタ型電気掃除機１００は、風路形成体である管部１２と、管部１２が着脱可能に接続される掃除機本体１３を備えている。
【００１０】
管部１２は、接続管部１５、ホース体１６、手元操作部１７、延長管１８、床ブラシ１９を備えている。  
接続管部１５は、掃除機本体１３に接続されている。ホース体１６は、可撓性を有し、接続管部１５の先端側に連通されている。手元操作部１７は、ホース体１６の先端側に設けられている。延長管１８は、手元操作部１７の先端側に着脱可能に接続されている。床ブラシ１９は、延長管１８の先端側などに、吸込口体として着脱可能に接続されている。
【００１１】
手元操作部１７には、ループ状の手元把持部２１がホース体１６側へ突出して形成されている。手元把持部２１の上部には、操作用の設定ボタン２２が複数設けられている。
【００１２】
掃除機本体１３は、大径の車輪である走行輪２３を両側に有し旋回輪２４などを下部に有する本体ケース２６を備えている。本体ケース２６の外部である上部前側には、集塵部としての集塵カップである集塵装置２７が着脱可能に取着されている。
【００１３】
掃除機本体１３は、走行輪２３および旋回輪２４によって被掃除面としての床面上を少なくとも前後方向に沿って走行（移動）可能に構成されている。なお、以下、前後方向および左右方向は、掃除機本体１３の走行（移動）方向を基準とする。
【００１４】
図２は、本体ケース２６の斜視図を示す。本体ケース２６は、例えば合成樹脂などにより形成されている。本体ケース２６は、本体部３１と突出受部３２が一体的に構成されている。本体部３１は、集塵装置２７の後方に位置している。突出受部３２は、本体部３１の前部下側に突設されて集塵装置２７の下部を支持する載置部としての集塵装置支持部である。
【００１５】
図３は、本体ケース２６に集塵装置２７を装着した状態の断面斜視図を示す。
【００１６】
掃除機本体１３は、大径の車輪である走行輪２３（図１）を両側に有し、旋回輪２４などを下部に有する本体ケース２６を備えている。本体ケース２６の外部である上部には、集塵部としての集塵カップである集塵装置２７が着脱に取着されている。掃除機本体１３は、走行輪２３および旋回輪２４によって被掃除面としての床面上を少なくとも前後方向に沿って走行（移動）可能に構成されている。
【００１７】
本体ケース２６は、例えば合成樹脂などにより一体形成されている。本体ケース２６は、集塵装置２７の後方に位置する本体部３１と、この本体部３１の前部下側に突設されて集塵装置２７の下部を支持する載置部としての集塵装置支持部である突出受部３２とから構成される。
【００１８】
本体部３１の両側には、走行輪２３がそれぞれ回転自在に軸支されている。本体部３１の前部の上側には、本体ケース２６を持ち運ぶためのハンドル３４が突設されている。本体部３１の内部には、電動送風機３６、この電動送風機３６の動作を制御する制御手段としての制御回路部３７、および、外部電源から電動送風機３６などに給電可能な電源コード３８（図１）を巻回した電源部としての図示しないコードリール装置などが収容されている。
【００１９】
また、本体部３１の前部には、吸気開口部４１が上方に偏って形成されている。吸気開口部４１は、電動送風機３６の吸込側に連通し、本体ケース２６に装着された集塵装置２７の下流側に気密に接続される開口部としての役割を果たしている。本体部３１の上部には、吸気開口部４１の上方の上面部に、集塵装置２７を係止保持するための係止クランプ４２が配置されている。吸気開口部４１の下方の左右方向の中央部には、集塵装置２７を位置決めおよびガイドするための本体側ガイド部としての位置決め凹部４３が設けられている。
【００２０】
本体部３１の後部には、電動送風機３６の排気側と本体ケース２６の外部とを連通する複数の排気孔４４が形成されている。さらに本体部３１の後部には、排気孔４４の側方に、電源室と本体ケース２６の外部とを連通し電源コード３８を出し入れするためのコード導出口４５が形成されている。
【００２１】
吸気開口部４１は、左右方向に長尺に形成されており、ハンドル３４の下方に位置している。吸気開口部４１には、補強用のリブ４７が格子状に配置されている。吸気開口部４１の外縁部には、弾性を有する環状の後部シール部材４８が配置されている。後部シール部材４８は、集塵装置２７の下流側と気密に接続するためのパッキンなどで形成されている。さらに、吸気開口部４１は、吸気フィルタ４９により覆われている。吸気開口部４１は、本体部３１内に配置されたダクト部５０を介して、電動送風機３６の吸込側と連通している。
【００２２】
係止クランプ４２は、集塵装置２７の係合受部１４８と係合して保持するものである。係止クランプ４２は、上下方向に回動可能に支持されている。係止クランプ４２は、係止部付勢手段としての図示しないばねなどにより、集塵装置２７を係止する下方に向けて付勢されている。係止クランプ４２は、ハンドル３４の直下に位置している。ハンドル３４は、本体部３１の前部の上面部に例えばループ状に形成されている。
【００２３】
突出受部３２は、後方に向けて下方に傾斜している。突出受部３２の下部には、本体部３１の下部近傍に亘って旋回輪２４が配置されている。突出受部３２の内部には、前後方向に沿って長尺で屈曲しない直線状の本体側風路部５３が配置されている。
【００２４】
本体側風路部５３の上流端には、管部１２の接続管部１５が接続される本体吸込口５４が突出受部３２の前面に形成されている（図１）。本体側風路部５３の下流端には、例えば四角形状の接続口５５が突出受部３２の上部の最後部にて本体部３１の前方に形成されている。つまり、本体側風路部５３は本体吸込口５４と接続口５５とを連通している。したがって、本体吸込口５４は、本体側風路部５３および接続口５５を介して集塵装置２７の上流側と連通可能となっており、接続口５５は、突出受部３２において最も高い位置に配置されている。接続口５５の外縁部には、集塵装置２７の上流側と気密接続するためのパッキンなどの弾性を有する環状の下部シール部材５６が配置されている。
【００２５】
電動送風機３６は、図１に示す設定ボタン２２の操作に応じて、制御回路部３７により動作が制御されるものである。電動送風機３６は、例えば吸込側を上側として配置されている。
【００２６】
制御回路部３７は、設定ボタン２２と電気的に接続されており、この設定ボタン２２の操作により、例えば強、中、弱、自動、停止などの動作モードに電動送風機３６の動作を設定するように構成されている。
【００２７】
集塵装置２７は図３および図４に示すように、カップ部６１と、内筒部６２と、フィルタ体６３と、蓋部６４と、クランプ６５とを備えている。カップ部６１は、収容部としての集塵部である。内筒部６２は、カップ部６１に着脱可能に取り付けられる分離体部としての構造体である。フィルタ体６３は、分離本体部として内筒部６２に着脱可能に構成されている。蓋部６４は、内筒部６２に対して回動により着脱可能に構成されている。クランプ６５は、カップ部６１と内筒部６２とを着脱可能に係止する。
【００２８】
集塵装置２７は、本体ケース２６に対して装着した状態で後側が本体部３１の前部に嵌合して固定される。なお、以下、集塵装置２７において、上下方向とは、集塵装置２７の軸方向における一端側と他端側とをいうものとする。
【００２９】
なお、一端側は図３中の破線Ｌの上側を示し、他端側は一点鎖線Ｌの下側を示す。集塵装置２７における上下方向は、集塵装置２７単体の状態での上下方向を基準とする。集塵装置２７の上下方向は、本体ケース２６に対して装着した状態では必ずしも一致しない場合もある。
【００３０】
図５は、集塵装置２７を分解した状態の斜視図を示す。カップ部６１は、カップ部本体６７と、吸込部６８と、取手６９とを備えている。カップ部本体６７は、有底円筒状に形成された収容体本体となる。吸込部６８は、カップ部本体６７に一体に設けられた集塵装置側風路部となる。取手６９は、カップ部本体６７に突設された集塵装置２７の持ち運びためのものである。
【００３１】
カップ部本体６７は、例えば透光性を有する合成樹脂などにより形成されている。カップ部本体６７は、内部の下部に塵埃（粗塵）を溜めるようになっている。カップ部本体６７の上端部は、内筒部６２などの取付用で塵埃の排出用の塵埃排出口７１となっている。カップ部本体６７の後部には、吸込部６８の下流端と連通する吸込口７２が接線方向に沿って開口されている。なお、カップ部本体６７は、例えば下端部を開閉可能として塵埃排出口としてもよい。
【００３２】
図３に示すように、カップ部本体６７の上端部には、内筒部６２が載置されて係止されている。カップ部本体６７の上端部の内周側には、図５に示すように、内筒部６２を周方向に位置決めするための位置決め部７５が径方向に互いに対向する位置に凹状に形成されている。カップ部本体６７の上縁部の外周側には、蓋部６４の下端を受けるための蓋部受部としての段差状の受け段部７６が例えば全周に亘って連続して形成されている。
【００３３】
カップ部本体６７の上端近傍の後部には、左右方向の中央部に、集塵装置側ガイド部としての舌片状の係止突部７７が後方に向けて下方へと傾斜するように突設されている。係止突部７７は、集塵装置２７を本体ケース２６に装着した状態で位置決め凹部４３に挿入されて集塵装置２７を本体ケース２６に対して前後左右に位置決めするものである。係止突部７７は、本体ケース２６に対する集塵装置２７の着脱方向をガイドするものである。集塵装置２７は、本体ケース２６に対して前後方向に回動させることで着脱されるようになっている。
【００３４】
吸込部６８は、管部１２を介して本体吸込口５４から吸い込まれた含塵空気を、本体側風路部５３および接続口５５を介して集塵装置２７のカップ部６１内へと吸込口７２から吸い込むものである。吸込部６８は、カップ部本体６７の後部に沿って上下方向に沿って配置されている。吸込部６８は、集塵装置２７を本体ケース２６の突出受部３２に装着した状態で、本体部３１の前部に対向するようになっている。吸込部６８の上端部は、吸込口７２と連通するようにＬ字状に屈曲して形成されている。吸込部６８の下端部は、下方に向けて直線状に延びてカップ部本体６７の下端部と略等しい位置に開口されている。吸込部６８の下端部は、カップ部本体６７の軸直方向に対して傾斜した連通口８１となっている。連通口８１は、後方に向けて徐々に上方へと傾斜している。連通口８１の周縁部には、接続口５５の周縁部の下部シール部材５６に圧接される平面フランジ状の圧接部８２が突設されている。
【００３５】
図４、図５に示すように、取手６９は、塵埃排出口７１から塵埃を廃棄する際などにカップ部６１を持つためのものである。取手６９は、カップ部６１の側部に上下方向に沿ってループ状に配置されている。取手６９は、集塵装置２７を本体ケース２６に装着した状態で本体部３１の側部の前部に接近して位置している。取手６９は、集塵装置２７を装着した状態では把持できないようになっている。取手６９の上端部には、クランプ６５を取り付けるためのクランプ取付部８４が凹設されている。
【００３６】
図６は、図５に示す蓋部６４とカップ部６１を除いた部分を拡大した状態の斜視図を示す。
【００３７】
内筒部６２は、図３、図６に示すように、受け部８７と、内筒部本体８８と、シェード部８９とを備えている。受け部８７は上側が開口し、フィルタ体６３を支持する支持部としての有底円筒状に形成されている。内筒部本体８８は、円筒状に形成されている。シェード部８９は、内筒部本体８８よりも径大の有蓋円筒状の拡大部が形成されている。
【００３８】
内筒部６２は、カップ部６１に装着された状態で、カップ部６１の中央部に、カップ部６１と同軸状に収納配置される。内筒部本体８８とカップ部６１の内周との間には、塵埃を遠心分離するための分離部９１が構成されている。分離部９１の下方の位置でかつシェード部８９の下方の位置には、分離部９１で遠心分離した塵埃を溜める塵埃溜め部９２が構成される。
【００３９】
受け部８７は、図５、図６に示すように、カップ部本体６７の内径寸法よりも若干小さい寸法を有している。受け部８７は、下端部の外縁部を円環状に囲んで、支持部シール部材としての受け部シール部材９５が取り付けられている。受け部８７の中央部には、内筒部本体８８内と連通する円形状の連通開口部９６（図３）が同心状に開口されている。
【００４０】
図７は要部の切欠斜視図を示し、図８は図６のＡ−Ｂ線断面図を示す。
【００４１】
さらに、図６乃至図８に示すように、内筒部本体８８の外周縦方向には、縦方向に溝８８１が形成されている。内筒部本体８８の外周には、髪の毛や糸屑、綿などの繊維状をなす塵埃Ｄが絡みつく。溝８８１は、取れにくい繊維状をなす塵埃などに対してハサミやカッターナイフなどの切取具Ｓの刃先を入りやすくして、繊維状塵埃Ｄの除去を容易にする塵埃除去部となる。
【００４２】
図９Ａ乃至図９Ｃは、切取具Ｓの刃先を入りやすくための塵埃除去部の変形例１乃至３を示す。
【００４３】
図９Ａの変形例１は、溝８８１にかえて内筒部本体８８の外側表面縦方向に突起８８２を形成したものである。切取具Ｓは、突起８８２と内筒部本体８８の付け根付近のコーナー部分の隙間に当てることで、繊維状塵埃Ｄを除去することができる。
【００４４】
図９Ｂの変形例２は、内筒部本体８８の外側表面縦方向に平行する第１突起８８３ａおよび第２突起８８３ｂを形成し、第１突起８８３ａと第２突起８８３ｂ間には溝８８４が形成されている。切取具Ｓは、溝８８４上をスライドさせることで、繊維状塵埃Ｄを除去することができる。
【００４５】
なお、風上にあたる側の第１突起８８３ａの高さを、風下側の第２突起８８３ｂの高さより低く形成してもよい。この場合の塵埃を含む空気の送風は、まず低い第１突起８８３ａにあたった後に、高い第２突起８８３ｂにあたる。このため、いきなり高い突起がある場合に比して風切り音の低減を図ることができる。
【００４６】
図９Ｃの変形例３は、内筒部本体８８の外周縦方向に突起８８５が形成されている。突起８８５は、塵埃が送風される風上側から漸次高くなる傾斜面８８５ａが形成されている。突起８８５と内筒部本体８８の風下側の付け根付近のコーナー部分の隙間に当てることで、繊維状塵埃Ｄを除去することができる。変形例３の突起８８５は、風上側から漸次高くなる傾斜面８８５ａ形成されている。つまり、突起８８５の傾斜面８８５ａは、白抜きの矢印に示す送風に対して風圧を受けにくい構造にしていることから、風圧で発生する風切り音の低減に寄与する。
【００４７】
変形例１乃至３の図９Ａ乃至図９Ｃは、内筒部本体８８の一部に溝や隙間を作り切取具Ｓを溝や隙間でスライドさせることで、繊維状塵埃Ｄを除去することができる。
【００４８】
図１０は集塵装置２７の収容部側の斜視図を示す。
【００４９】
受け部８７の周壁部の内周側には、フィルタ体６３を着脱可能に係止する係止受部９７が径方向に互いに対向する位置に形成されている。受け部８７の周壁部の外周側には、カップ部本体６７の位置決め部７５にそれぞれに挿入されて周方向に位置決めする凸部９８が径方向に互いに対向する位置に形成されている。
【００５０】
受け部シール部材９５は、カップ部本体６７の内周面に圧接されて隙間を閉塞しており、カップ部本体６７内の塵埃がフィルタ体６３側に上がってくることを防止するものである。
【００５１】
係止受部９７は、受け部８７の内周面から内筒部６２の中央側に突出する側壁部９７ａ，９７ａと、側壁部９７ａ，９７ａを連結する内壁部９７ｂを一体的に備える、平面視でコ字状に形成されている。したがって、係止受部９７と受け部８７の内周面との間には、挿入空間部９９が形成されている。これら係止受部９７の内壁部９７ｂには、フィルタ体６３を係止する係止開口部９７ｃが開口されている。
【００５２】
内筒部本体８８は、受け部８７と同軸に配置され、受け部８７の中央部の連通開口部９６の外縁部から下方に突出して受け部８７と同軸状となっている。内筒部本体８８の周囲には、複数の開口１０１が径方向に貫通するように形成されており、開口１０１全体が分離フィルタ１０２によって覆われている。内筒部本体８８の下端部は、底面部１０３により閉塞されている。
【００５３】
図６に示すように、シェード部８９は、電動送風機３６の駆動により生じる負圧を利用して塵埃を圧縮するものである。シェード部８９は、内筒部本体８８の下端部の周縁から拡径されて下方へと突出し、下方に向けて開口して内筒部６２（図３）の下端に位置している。したがって、シェード部８９は、内筒部本体８８よりも径寸法が大きく、内筒部本体８８に対して径方向に突出している。シェード部８９の上部は、複数の圧縮用開口１０８が周方向に略等間隔に離間されて開口されている。圧縮用開口１０８は、圧縮フィルタ１０９によって覆われている。そして、シェード部８９は、カップ部６１の底部に対して上方に離間されている。
【００５４】
フィルタ体６３は、フィルタであるプリーツフィルタ１１１と、プリーツフィルタ１１１を保持する保持部としての保持枠部１１２と、保持枠部１１２に設けられた除塵機構１１３とを備えている。フィルタ体６３は、全体として平坦な円盤状であり、内筒部６２の受け部８７上に着脱可能となっている。
【００５５】
プリーツフィルタ１１１は、分離部９１（図３）で分離できなかった塵埃、すなわち分離部９１で分離する塵埃よりも小さい塵埃（細塵）を捕集するものである。プリーツフィルタ１１１は、例えば不織布などをプリーツ状（襞状）に折り曲げて形成されている。プリーツフィルタ１１１は、折り目すなわち稜線１１１ａが所定方向に沿って直線状に多数形成され、互いに平行となっている。プリーツフィルタ１１１は、稜線１１１ａがプリーツフィルタ１１１を通過する風の上流下流方向である上下方向に交互に位置するように折り曲げられている。
【００５６】
保持枠部１１２は、例えば合成樹脂などにより一体成形されている。保持枠部１１２は、受け部８７の内周に嵌合可能な円環状の保持部本体としての保持枠部本体１１５と、プリーツフィルタ１１１の形状を保持する形状保持部１１６とを備えている。
【００５７】
図６に示すように、保持枠部本体１１５には、内周の径方向に互いに対向する位置に、設置部１１８がそれぞれ設置されている。設置部１１８は、除塵機構１１３を設置するためのもので、プリーツフィルタ１１１の稜線１１１ａに沿う方向にそれぞれ一体成形されている。設置部１１８のそれぞれの両端部には、蓋部６４を周方向に回動可能にガイドするとともに軸方向に沿って抜け止めする蓋部ガイド部１１９，１１９が突設されている。保持枠部本体１１５の外周縁部には、シール部材１２１が一体的にインサート成形されるシール取付部１１５ａが径方向に沿って突設されている。
【００５８】
シール部材１２１は、可撓性および弾性を有する例えばゴム、あるいはエラストマなどの合成樹脂により形成されている。シール部材１２１は、保持枠部１１２の外方を囲んで、保持枠部１１２の外周に沿って、保持枠部本体１１５のシール取付部１１５ａを上下及び外周に亘ってコ字状に覆う円環帯状に形成されている。シール部材１２１は、薄板状の変形容易なリップ部１２１ａ，１２１ａが上下両端に延設されている。
【００５９】
図５、図６に示すように、シール部材１２１は、カップ部６１および蓋部６４に対向する部分を面状に少なくとも覆っていれば、シール取付部１１５ａの外周の一部がシール部材１２１の外周面から露出していてもよい。シール部材１２１の下側に位置するリップ部１２１ａは、カップ部６１側、カップ部６１および内筒部６２の上端部に直接重ねられている。シール部材１２１は、電動送風機３６の駆動により生じた負圧によって上方から吸着されて隙間を閉塞するようになっている。シール部材１２１は、カップ部６１内に圧入されないようになっている。シール部材１２１の外径は、カップ部６１および内筒部６２の受け部８７の外径よりも大きい所定値に設定されている。なお、カップ部６１側とは、カップ部６１に固定された内筒部６２などの部材を含むものとするが、例えばカップ部６１自体でもよい。
【００６０】
形状保持部１１６は、例えば硬質の合成樹脂などの部材により、保持枠部本体１１５の設置部１１８，１１８間で保持枠部本体１１５の内周縁部の位置に一体成形されている。これら形状保持部１１６は、プリーツフィルタ１１１の各稜線１１１ａを覆って形成されている。
【００６１】
除塵機構１１３は、プリーツフィルタ１１１に捕集された塵埃を除去するものである。除塵機構１１３は、固定部１２５，１２５と、レール１２６と、除塵体１２７とを備えている。
【００６２】
固定部１２５，１２５は、保持枠部本体１１５の設置部１１８，１１８上に対向配置して固定されている。レール１２６は、固定部１２５，１２５の間に配置され、直線状に連続した形状に形成されている。除塵体１２７は、レール１２６に沿ってスライド可能に配置されている。除塵機構１１３は、フィルタ体６３の中心線に対して対称、本実施形態ではフィルタ体６３の直径に沿ってこのフィルタ体６３の中央部に配置されている。
【００６３】
各固定部１２５は、設置部１１８，１１８に対して上方に突出する壁状となっている。各固定部１２５の外側面である反プリーツフィルタ１１１側には、凹部１３１が設けられている。凹部１３１には、フィルタ体６３を内筒部６２に対して着脱可能に係止するための着脱機構１３２が取り付けられている。
【００６４】
各着脱機構１３２は、着脱機構本体１３５と、着脱付勢手段とを備えている。着脱機構本体１３５は、各固定部１２５に対して、フィルタ体６３の径方向に沿って回動可能に軸支されている。着脱付勢手段は、図示しないが着脱機構本体１３５を回動方向に付勢するトーションばねなどを使用している。各着脱機構本体１３５は、下端側が設置部１１８に挿通されてシール部材１２１よりも下方に突出している。
【００６５】
図１０に示すように、各着脱機構本体１３５は、係止爪部１３９と取手部１４０とを一体的に備えている。係止爪部１３９は、着脱機構本体１３５の下端部に位置して内筒部６２の各挿入空間部９９に挿入されて各係止受部９７の係止開口部９７ｃに対して係止される。取手部１４０は、着脱機構本体１３５の上端部に位置する操作部としての解除部である。
【００６６】
図５、図６、図１１に示すように、各着脱機構１３２は、取手部１４０，１４０を両側から摘むことで着脱付勢手段の付勢に抗してそれぞれ係止爪部１３９，１３９が挿入空間部９９，９９内に退避させ、係止受部９７，９７の係止開口部９７ｃ，９７ｃから離反するように回動可能となっている。
【００６７】
固定部１２５，１２５間に直線状に連続形成されたレール１２６は、プリーツフィルタ１１１の稜線１１１ａに対して交差する方向に沿って形成されている。
【００６８】
除塵体１２７は、例えば合成樹脂などにより一体成形され、レール１２６を挟んで位置する除塵体本体１２７ａと、除塵体本体１２７ａの上部に形成された摘み部１２７ｂと、除塵体本体１２７ａの下部から突出してプリーツフィルタ１１１を弾く除塵部１２７ｃとを備えている。
【００６９】
除塵部１２７ｃは、除塵体本体１２７ａの下部から突出してプリーツフィルタ１１１を弾き、プリーツフィルタ１１１に付着した塵埃を落とす役割を果たすものである。除塵部１２７ｃは、例えば樹脂性の成形品であり、レール１２６を跨いだ例えば２か所に除塵体本体１２７ａと一体形成されている。除塵部１２７ｃは、プリーツフィルタ１１１に弾性的に接触するＬ字型の形状をしている。除塵部１２７ｃは、Ｌ字型の他にＳ字型などが考えられ、プリーツフィルタ１１１に対して弾性的な接触が可能な構造であればよい。
【００７０】
除塵部１２７ｃは、稜線１１１ａの位置で形状保持部１１６とともにプリーツフィルタ１１１を弾くことで振動（衝撃）を付与して、プリーツフィルタ１１１に付着した塵埃を落下除去させるようになっている。
【００７１】
蓋部６４は、有蓋円筒状の蓋部本体１４３と、この蓋部本体１４３の下端部に段差状に形成された拡開部１４４と、蓋部本体１４３の上部に形成された把持部１４５と、蓋部本体１４３の外周縁部の後部に開口される排気口１４６とを備えている。
【００７２】
拡開部１４４は、蓋部本体１４３に対して拡開状に形成されている。拡開部１４４の内部には、シール部材１２１の上側のリップ部１２１ａに対して上方から直接圧接されるシール部材圧接部１５１が下方に向けて形成されている。シール部材圧接部１５１とカップ部６１側である内筒部６２の受け部８７の上端部とにより、シール部材１２１が上下に挟み込まれるようになっている。
【００７３】
把持部１４５は、基本的に集塵装置２７を本体ケース２６から取り外すためのものであり、集塵装置２７を持ち運ぶ際にも用いることができるものである。把持部１４５は、除塵機構１１３のレール１２６に沿って形成され、除塵体１２７との干渉を避けるように上方に突出している。
【００７４】
図４に示すように、排気口１４６は、風路１４９を通過した空気が集塵装置２７の外部へと排出されるもので、例えば左右方向に長手状、すなわち横長に形成されている。排気口１４６の周縁部には、集塵装置２７を本体ケース２６に装着した状態で後部シール部材４８に対して圧接されている。排気口１４６の周縁部には、排気口１４６と吸気開口部４１とを気密に接続するための後部圧接部１６４が形成されている。さらに、排気口１４６には、補強用のリブ１６５が上下方向に沿って形成され、これらリブ１６５が左右方向に互いに離間されて配置されている。
【００７５】
図４、図５に示すように、クランプ６５は、取手６９の上端部のクランプ取付部８４に取り付けられている。クランプ６５は、フィルタ体６３をカップ部６１に対して着脱可能に係止している。クランプ６５は、蓋部６４をフィルタ体６３およびカップ部６１に対して周方向に回り止めしており、例えば取手６９を把持した手の親指により上方から押動操作可能となっている。
【００７６】
次に、掃除動作を説明する。
【００７７】
掃除を開始する際には、まず、カップ部６１に対して内筒部６２、フィルタ体６３および蓋部６４をそれぞれ取り付けて一体的に組み立てる。
【００７８】
このとき、カップ部６１に内挿した内筒部６２の凸部９８をカップ部本体６７の位置決め部７５に係合させてカップ部６１に対して周方向に回り止めした状態で位置決め固定する。受け部シール部材９５の外周側をカップ部本体６７の内周面に圧接する。次いでフィルタ体６３を、着脱機構１３２，１３２の取手部１４０，１４０を手で両側から摘みながら内筒部６２の受け部８７に挿入する。係止爪部１３９，１３９を挿入空間部９９，９９内に挿入する。取手部１４０，１４０を離すことで復帰回動した係止爪部１３９，１３９を係止受部９７，９７の係止開口部９７ｃ，９７ｃに係合する。内筒部６２に係止した後、フィルタ体６３を覆って蓋部６４を被せ、蓋部６４を周方向に回動する。この結果、フィルタ体６３のシール部材１２１が蓋部６４のシール部材圧接部１５１とカップ部６１および内筒部６２の受け部８７との間に挟持する。
【００７９】
次いで、集塵装置２７を本体ケース２６に装着する。集塵装置２７の前側下部を突出受部３２の前端部に当接させながら、係止突部７７を本体ケース２６側の位置決め凹部４３に位置合わせしつつ挿入する。集塵装置２７の上側を後方に回動させると、係止クランプ４２が集塵装置２７の係合受部１４８に上方から係合され、集塵装置２７が本体ケース２６に固定する。この結果、吸込部６８の連通口８１の周縁の圧接部８２が接続口５５の周縁の下部シール部材５６に上方から圧接されて吸込部６８の連通口８１と接続口５５とを気密に接続する。排気口１４６の周縁の後部圧接部１６４が吸気開口部４１の周縁の後部シール部材４８に前方から圧接されて排気口１４６と吸気開口部４１とを気密に接続する。なお、集塵装置２７が本体ケース２６に既に装着された状態である場合には、これらの操作は不要である。
【００８０】
この状態で、本体ケース２６の本体吸込口５４に管部１２を接続する。具体的に、管部１２は、接続管部１５を本体吸込口５４に挿入接続する。必要に応じて、手元操作部１７の先端側に延長管１８および床ブラシ１９を順次接続する。この状態で、手元操作部１７の設定ボタン２２が本体ケース２６内の制御回路部３７などと電気的に接続する。なお、管部１２が掃除機本体１３に既に接続された状態である場合には、これらの操作は不要である。
【００８１】
そして、使用者は、コード導出口４５から電源コード３８を引き出して壁面などのコンセントに接続する。この後、手元把持部２１を把持し、所望の設定ボタン２２を操作することにより、電動送風機３６の動作モードを設定する。制御回路部３７は、この設定された動作モードに対応して電動送風機３６の入力を制御し、電動送風機３６を設定された動作モードで起動する。
【００８２】
この電動送風機３６の起動により生じた負圧は、吸気開口部４１、排気口１４６、プリーツフィルタ１１１、分離部９１、吸込口７２、吸込部６８、連通口８１、本体側風路部５３および本体吸込口５４を介して、管部１２へと作用する。
【００８３】
集塵装置２７内では、分離部９１内が集塵装置２７の外気に対して負圧になる。シール部材１２１のリップ部１２１ａが分離部９１側へと吸い付けられて弾性的に変形しつつ密着する。このカップ部６１および内筒部６２の上端部の隙間は、上方からシールする。シール部材１２１は、カップ部６１と内筒部６２との間の隙間だけでなく、フィルタ体６３と内筒部６２との隙間も閉塞する。
【００８４】
使用者は、この負圧の作用により、床ブラシ１９、延長管１８、あるいは手元操作部１７の先端側から空気とともに塵埃を吸い込む。
【００８５】
この塵埃を含む空気は、管部１２から本体吸込口５４、本体側風路部５３および連通口８１を経由して吸込部６８から吸込口７２へと導く。さらに含塵空気は、吸込口７２からカップ部６１内へと吸い込む。
【００８６】
カップ部６１内の分離部９１の含塵空気は、カップ部６１の内周面に沿って内筒部本体８８の外周を旋回する。含塵空気中の特に粗塵は遠心分離する。分離された粗塵は、カップ部６１の内周面に沿って落下して塵埃溜め部９２に溜める。塵埃溜め部９２に溜められた粗塵は、シェード部８９へと含塵空気の流れの一部によって運ぶ。含塵空気は、シェード部８９の圧縮用開口１０８を通過させることにより圧縮フィルタ１０９によってシェード部８９内で圧縮する。
【００８７】
粗塵が分離された含塵空気は、内筒部本体８８の開口１０１を通過する際に分離フィルタ１０２により濾過する。分離フィルタ１０２を通過した含塵空気は、底面部１０３に沿って下流側である上側へと整流されつつフィルタ体６３へと運ぶ。この含塵空気は、フィルタ体６３のプリーツフィルタ１１１を通過する。プリーツフィルタ１１１を通過した含塵空気は、分離部９１で分離した塵埃（粗塵）よりも小さい塵埃（細塵）を表面集塵する。
【００８８】
プリーツフィルタ１１１を通過した空気は、プリーツフィルタ１１１の稜線１１１ａ，１１１ａ間、プリーツフィルタ１１１の上部と蓋部６４との間の風路１４９を通過する。空気はさらに、排気口１４６から集塵装置２７の外部に流出して、排気口１４６と気密に接続された吸気開口部４１へと吸い込まれる。
【００８９】
そして、吸気開口部４１を通過した空気は、ダクト部５０を介して電動送風機３６へと吸い込まれる。吸い込んだ空気は、電動送風機３６の内部を冷却しつつ排気風となり、電動送風機３６から排気孔４４を介して本体ケース２６の外部に排気する。
【００９０】
掃除が終了すると、使用者は所定の設定ボタン２２を操作し、制御回路部３７が電動送風機３６の入力を低下させて電動送風機３６を停止する。
【００９１】
次に、プリーツフィルタ１１１に付着した塵埃を廃棄するプリーツフィルタ１１１のメンテナンスについて説明する。
【００９２】
プリーツフィルタ１１１をメンテナンスする場合には、係止クランプ４２を操作して本体ケース２６から集塵装置２７を取り外す。蓋部６４を周方向に回動させて集塵装置２７から取り外す。除塵機構１１３の摘み部１２７ｂを摘んで除塵体１２７をレール１２６に沿って左右にスライドする。除塵部１２７ｃが各稜線１１１ａの位置で形状保持部１１６とともにプリーツフィルタ１１１を弾くことで断続的に振動(衝撃)を付与する。振動はプリーツフィルタ１１１に付着した塵埃(細塵)を落下除去する。そして、フィルタ体６３を内筒部６２から取り外して、カップ部６１をごみ箱などの廃棄位置へ持って行き、塵埃を廃棄する。
【００９３】
フィルタ体６３の取り外し時には、着脱機構１３２の取手部１４０，１４０を両側から手Ｈで挟むように摘むと、各係止爪部１３９が各挿入空間部９９内に退避するように着脱機構本体１３５が回動する。この回動により各係止爪部１３９と各係止開口部９７ｃとの係合が外れ、フィルタ体６３を上方に引き抜くことが可能になる。
【００９４】
すなわち、フィルタ体６３を取手部１４０，１４０で持つ作業によって、意図的な操作を伴うことなく着脱機構１３２による内筒部６２への係止が容易に解除される。なお、フィルタ体６３の取り外しにより露出した内筒部６２については、受け部８７の中央部に位置する連通開口部９６から分離フィルタ１０２の内側などに付着した塵埃を除去したり、受け部８７上に付着した塵埃を除去したりすることが可能である。
【００９５】
集塵装置２７内に一定量の塵埃が溜まった場合には、使用者は、クランプ６５を操作してフィルタ体６３および内筒部６２の係止を解除し、カップ部６１からこれらフィルタ体６３および内筒部６２を蓋部６４と一体的に取り外す。そして、取手６９を把持したカップ部６１をごみ箱などの廃棄位置へと運んだ後、上側を下方へと傾けるようにひっくり返すことで、塵埃溜め部９２に圧縮された状態で溜まった塵埃(粗塵)が塵埃排出口７１から廃棄される。
【００９６】
次に、含塵空気が内筒部本体８８の外周を旋回するときに、内筒部本体８８の外周に絡み合った繊維性塵埃の除去について説明する。
【００９７】
上記したように、カップ部６１内の分離部９１の含塵空気は、カップ部６１の内周面に沿って内筒部本体８８の外周を旋回する。含塵空気中の特に粗塵は遠心分離する。分離された粗塵は、カップ部６１の内周面に沿って落下して塵埃溜め部９２に溜められるが、繊維性の塵埃は、内筒部本体８８に絡みついてしまう。絡みついた繊維は、掃除機では除去できないために使用者が手動で除去してやる必要がある。
【００９８】
含塵空気は、内筒部本体８８に対して、例えば左旋回で送風される。このときに図７に示すように、繊維状塵埃Ｄが内筒部本体８８の外周に絡んでしまい塵埃溜め部９２には回収できない。
【００９９】
そこで、切取具Ｓの刃先を内筒部本体８８の縦方向に形成された溝８８１に当てる。切取具Ｓがカッターの場合は、カッターを溝８８１上で滑らすことで繊維状塵埃Ｄを切り取り除去することができる。切取具Ｓがハサミの場合は、片方の刃先を溝８８１に当て、滑らせながら片方の刃先と他方の刃先とにより繊維状塵埃Ｄを切り取り除去することができる。
【０１００】
このようして、内筒部本体８８に絡まった繊維状塵埃Ｄを除去する場合に、分離フィルタ１０２を傷つけることなく簡単な作業により除去することができる。
【０１０１】
なお、内筒部本体８８に絡まった繊維状塵埃Ｄを除去については、塵埃除去部の変形例１乃至３である図９Ａ乃至図９Ｃについても同様にして除去することができる。図９Ａについては、突起８８２と内筒部本体８８の付け根付近のコーナー部分に切取具Ｓの刃先を当てながら繊維状塵埃Ｄを除去する。図９Ｂについては、溝８８４に切取具Ｓの刃先を当てながら繊維状塵埃Ｄを除去する。図９Ｃについては、突起８８５と内筒部本体８８の付け根付近のコーナー部分に切取具Ｓの刃先を当てながら繊維状塵埃Ｄを除去する。
【０１０２】
この実施形態は、内筒部本体に絡まった繊維状塵埃除去時に塵埃除去部に切取具を当てながら除去することができることから、塵埃除去にかかる作業時間の短縮化を図ることができる。また、塵埃除去部は、塵埃除去作業時に内筒部本体の近傍に配置される分離フィルタへの損傷防止にも寄与する。
【０１０３】
（実施形態２）
図１１は、実施形態２の電気掃除機の集塵装置の図６に相当する部分この分解斜視図である。
【０１０４】
この実施形態のシェード部８９の上部に周方向に略等間隔に離間されて開口された複数の圧縮用開口１０８は、外周側に漸次下がるように傾斜させ形成されている。図５に示す圧縮用開口１０８と内筒部本体８８との角度θ１は、９０度程度に形成されている。これに対し、図１１に示す圧縮用開口１０８と内筒部本体８８との角度θ２は、９０度以上に形成されている。角度θ２は、例えば１１０度である。
【０１０５】
内筒部本体８８には、縦方向に内筒部本体８８に絡んだ繊維状塵埃Ｄを除去するための塵埃除去部が形成されている。塵埃除去部の具体例としては、溝８８１や変形例１乃至３に示した形状とする。
【０１０６】
圧縮用開口１０８と内筒部本体８８との角度をθ１からθ２に広げた。この広がりは、内筒部本体８８に絡まった繊維状塵埃Ｄを除去するための作業空間を広く確保することができることになる。図１１に示すように、溝８８１に対するθ１の場合は、破線の水平の切取具Ｓに対し、θ２の場合は、実線の傾斜した切取具Ｓとなる。θ２の場合は、θ１に比して作業空間が広がり、繊維状塵埃の除去作業がしやすいものとなる。
【０１０７】
この実施形態では、繊維状塵埃除去ための作業空間を広げたことにより、繊維状塵埃除去の作業時間の短縮化を図ることができる。作業空間の広がりは、繊維状塵埃除去の作業時における近傍に設置される分離フィルタへの損傷防止にも寄与する。
【０１０８】
上記した実施形態に限定されるものではない。例えば、円周方向に異なる内筒部本体８８に対し、異なる高さに塵埃除去部を形成してもよい。この場合は、複数の塵埃除去部により内筒部本体８８の全高さをカバーすることができる。
【０１０９】
また、塵埃除去部の上面に、例えばゴムなどの軟性部材を取着してよい。この場合は、軟性部材による弾性の作用が繊維状塵埃と塵埃除去部との間に切取具を入れやすくなり、作業向上に寄与する。
【０１１０】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【０１１１】
１００  電気掃除機
２６  本体ケース
２７  集塵装置
３６  電動送風機
６１  カップ部
６３  フィルタ体
１１１  プリーツフィルタ
１１３  除塵機構
１２７  除塵体
１４５  把持部
１０１  開口
１０２  分離フィルタ
１０８  圧縮用開口
１０９  圧縮フィルタ
８８  内筒部本体
８８１，８８４  溝
８８２，８８５  突起
８８３ａ  第１突起
８８３ｂ  第２突起  
８８５ａ  傾斜面
Ｄ  繊維状塵埃
Ｓ  切取具
【図１】
2017213158.tif 000003
【図２】
2017213158.tif 000004
【図３】
2017213158.tif 000005
【図４】
2017213158.tif 000006
【図５】
2017213158.tif 000007
【図６】
2017213158.tif 000008
【図７】
2017213158.tif 000009
【図８】
2017213158.tif 000010
【図９Ａ】
2017213158.tif 000011
【図９Ｂ】
2017213158.tif 000012
【図９Ｃ】
2017213158.tif 000013
【図１０】
2017213158.tif 000014
【図１１】
2017213158.tif 000015